(57)【要約】【課題】走行式ゲートの開門中はガイドレールの凹溝を遮蔽し、閉門する時はその凹溝を開放してゲートの閉鎖を妨げないようにして、ショッピングカーやベビーカーや車椅子などの通行障害にならず、躓きの原因とならないようにしたガイドレール遮蔽装置を提供する。【解決手段】走行式ゲートが開放状態にある時は、ガイドレールに形成されているゲートの転倒防止具又は転倒防止ローラ係合用の凹溝を遮蔽し、走行式ゲートが閉鎖状態にある時は、前記凹溝を開放する遮蔽部材を、ガイドレールのキャスター走行面と反対側に水平軸回りに回動自在に設けた。【選択図】      図１
2004270141.tif 000002
【特許請求の範囲】
【請求項１】
走行式ゲートが開放位置にある時は、ガイドレールに形成されているゲートの転倒防止具又は転倒防止ローラ係合用の凹溝を遮蔽し、走行式ゲートが閉鎖位置に移動される時は、前記凹溝を開放する遮蔽部材を、ガイドレールのキャスター走行面と反対側に水平軸回りに回動自在に設けたことを特徴とする走行式ゲートにおけるガイドレール遮蔽装置。
【請求項２】
遮蔽部材は、その幅方向一端部に固着された蝶番によりガイドレールの凹溝に関して走行式ゲートのキャスター走行面と反対側の端部に回動自在に取付けられていることを特徴とする請求項１に記載されたガイドレール遮蔽装置。
【請求項３】
遮蔽部材の蝶番と反対側の下部に、遮蔽部材がガイドレールの凹溝を遮蔽する方向に回動された時に、その凹溝の底面に当接して、遮蔽部材がガイドレールを叩打する音の発生を防止するためのクッションが設けられていることを特徴とする請求項１又は２に記載のガイドレール遮蔽装置。
【発明の詳細な説明】
【０００１】
【発明の属する技術分野】
本発明は、走行式ゲートにおけるガイドレールに備えられる新規な遮蔽装置、さらに詳しくは、ゲートの走行路に沿って地面に窪んで設けられるガイドレールの凹溝への異物侵入及びガイドレールの凹溝による車椅子等の走行障害を解消した装置に関する。
【０００２】
【従来の技術】
ショッピングセンター、駐車場、文教施設、公共施設等の大型施設で使用されている大型ゲートは、転倒防止のため、ゲートの下部に取付けたキャスターを、地面に窪んで設けられた前後のガイドレールに沿って走行させ、かつ、ゲートの下部に設けた転倒防止金具をガイドレールに形成した溝に係合させた走行式ゲートが、その大半を占めるに至っている。
【０００３】
図３及び図４は、そのような走行式ゲートのうち一例として２連式のゲートを示すものであり、図３は正面図であって、（ａ）は閉門状態におけるゲート、（ｂ）は開門状態におけるゲートを示し、図４は同じく平面図であって、（ａ）（ｂ）は、それぞれ閉門状態におけるゲート、開門状態におけるゲートを示す。また、図５は図４のＸ−Ｘ線拡大断面図である。
１Ａは閉門時に先行する先行ゲート、１Ｂは閉門時に後続する後続ゲートであり、先行ゲート１Ａは先端下部に一つのキャスター保持フレーム２ａを有するのに対し、後続ゲート１Ｂは、先端下部と後端下部にそれぞれキャスター保持フレーム２ｂ，２ｃを有する。そして、先行ゲートの閉鎖面を形成する本体３ａは、後続ゲート１Ｂの本体３ｂに近接する位置を移動自在に後続ゲート１Ｂに連係されていて、両ゲートのキャスター４は、図５に示すように、いずれも、地面に設置された前後一対のガイドレール５の走行面５ａ上に転動自在に搭載され、キャスター保持フレーム２にキャスター４の外側において取付けられた転倒防止ローラ６がガイドレール５に形成された凹溝５ｂに転動自在に係合されている。転倒防止ローラの代わりに転倒防止金具が摺動自在に係合される場合もある。図４において、７ａ，７ｂは塀、図３，４において、８は門柱である。
【０００４】
【発明が解決しようとする課題】
従来のガイドレール５は、上記のように、凹溝５ｂの開口面と地面Ｇが面一の状態で凹溝５ｂが常時開放されていた。このような事情の下で、上記大型施設の利用者は不特定多数であり、かつ、各施設の特殊事情も関連して、次に述べるような問題点が指摘されている。
（ａ）ショッピングセンターや駐車場においては、
ガイドレール５の凹溝５ｂの開口幅は８０〜１００ｍｍ程度あり、深さも４０〜５０ｍｍ程度ある。そのため、ショッピングカーやベビーカーの車輪が凹溝に脱輪するなどして、来店客の通行障害となり、苦情の対象となっている。
（ｂ）文教施設や公共施設においては、
ガイドレール５の凹溝５ｂに、車椅子の車輪が脱輪したり、杖等が挟まって抜けなくなったり、あるいは凹溝５ｂが躓く原因になったりする問題が跡を絶たない。
【０００５】
さらに、従来のガイドレールの凹溝は、その開口面と地面が面一の状態で常に開放されているため、土砂が流れ込んだり、砂塵などが風で吹き込まれりして、転倒防止ローラ又は転倒防止金具の円滑な移動が阻止されるばかりでなく、侵入した異物の排除が容易でなく、手間が掛かる問題もあった。ガイドレールの終端部の外側に凹溝に連続するピットを設けて、凹溝に侵入した異物をそのピットに掃き寄せて排除することができるようにしたガイドレールの構造が特許文献１に記載されているが、このような構造を備えても、凹溝の全長に沿ってこまめに清掃する手間が必要である点は変わりがない。
【０００６】
【特許文献１】
特開２００１−２８００４６号公報
【０００７】
本発明は、上記の事情に鑑みてなされたものであり、その課題は、走行式ゲートの開門中はガイドレールの凹溝を遮蔽し、閉門する時はその凹溝を開放してゲートの閉鎖を妨げないようにして、ショッピングカーやベビーカーや車椅子などの通行障害にならず、躓きの原因とならないようにしたガイドレール遮蔽装置を提供することにある。
【０００８】
【課題を解決するための手段】
上記課題を解決するため、本発明に係るガイドレール遮蔽装置は、走行式ゲートが開放状態にある時は、ガイドレールに形成されているゲートの転倒防止具又は転倒防止ローラ係合用の凹溝を遮蔽し、走行式ゲートが閉鎖状態にある時は、前記凹溝を開放する遮蔽部材を、ガイドレールのキャスター走行面と反対側に水平軸回りに回動自在に設けたことを特徴としている。上記遮蔽部材は、ガイドレールの凹溝を遮蔽した状態で、その上面が地面とほぼ面一となるように形成されていることが望ましい。
上記構成により、ゲート開放中はガイドレールの凹溝を遮蔽部材で遮蔽することにより、バリアフリーとすることができるので、凹溝が門通路を走行するショッピンクギカートやベビーカーや車椅子などの走行障害となったり、杖が挟まったり、躓きの原因となることがなくなった。また、凹溝に砂塵が流れ込むことも有効に防止される。
【０００９】
遮蔽部材は、その幅方向一端部に固着された蝶番によりガイドレールの凹溝に関して走行式ゲートのキャスター走行面と反対側の端部に回動自在に取付けられていることが望ましい。
このような取付構造を採用する場合は、既設のガイドレールにも容易に取付けることができ、凹溝を開放する位置に回動した状態で、走行式ゲートの走行の障害にならない。
【００１０】
また、遮蔽部材の蝶番と反対側の下部に、遮蔽部材がガイドレールの凹溝を遮蔽する方向に回動された時にその凹溝の底面に当接して遮蔽部材がガイドレールを叩打する音の発生を防止するためのクッションが設けられていることが望ましい。
遮蔽部材をアルミニウム等の金属製又は硬質合成樹脂製とした場合は、遮蔽部材をガイドレールの凹溝を遮蔽する方向に回動する時に、その回動中心から遠い側の端部がガイドレールの凹溝の底面に衝突すると大きな叩打音が発生し、近隣住民などに騒音害を与える恐れがあるが、上記クッションを取付けた場合は、その様な叩打音の発生が有効に防止される。
【００１１】
【発明の実施の形態】
次に、本発明の実施の形態について、図１及び図２に基づいて説明する。図１は本発明によるガイドレール遮蔽装置の構成及び作用を示す要部断面図であり、（ａ）はゲート閉鎖時の遮蔽部材の位置、（ｂ）はゲート開放時の遮蔽部材の位置を示している。図２は遮蔽部材とのその取付手段を示す斜視図である。
【００１２】
図３以下の従来技術の構成要素と同一又は相当する部材には、同一の符号を用いて、重複する説明を割愛する。なお、ガイドレールは前後一対が設置されるが、図面簡明化のため、図１には一方のガイドレールのみを示す。
本発明によるガイドレール装置は、基本的には、既存のガイドレールと同一の構造を有するガイドレール５の凹溝５ｂに関してキャスター走行面５ａと反対側の端部に、遮蔽部材１０をその一端部に設けられた水平軸を中心に回動自在に取付けて構成されている。
【００１３】
遮蔽部材１０は、アルミニウム又は硬質合成樹脂により一例として概略ワ字形の断面形状を有する長尺形材で形成され、一端部に所要の強度を備えるように厚手に形成された取付部１１を有し、また、その取付部１１に連なる平面部１２を有し、その平面部の取付部１１と反対側の端部から湾曲状に延びる起立部１３を有している。
【００１４】
上記取付部１１の下面は、平面部１２の上面に対して傾斜されており、その傾斜面にこの遮蔽部材１０をガイドレール５に固着するための蝶番２０の一方の葉２１がねじ３１により固着されている。このような蝶番２０は遮蔽部材の長手方向に適当な間隔をもって配設されている。
【００１５】
そして、遮蔽部材１０は、蝶番２０の他方の葉２２をガイドレール５の凹溝５ｂを形成している斜め壁５ｃの上端部付近に、すなわち、蝶番のナックル２３が地面ＧＬとほぼ同一面に存在するように、ねじ３２により固着されている。これにより、遮蔽部材１０は、ナックルを貫通している軸２４を中心として回動自在に取付けられている。
【００１６】
従って、ゲート１が閉められる時、遮蔽部材１０が一方向に回動された場合は、図１（ａ）に示すように、地面ＧＬ上に静置されてガイドレール５の凹溝５ｂを開放する。また、ゲート１が開放された後、遮蔽部材１０が他方向に回動された場合は、同図（ｂ）に示すように、ガイドレール５の凹溝５ｂの中に収容されて、平面部１２が凹溝の開口面を遮蔽する状態で起立部１３の底部が凹溝５ｂの底面に当接して安定する。また、遮蔽部材１０で凹溝５ｂを遮蔽した状態では、遮蔽部材の上面が地面とほぼ面一になる。
【００１７】
起立部１３の外面に湾曲面を備えたので、凹溝５ｂを遮蔽するため遮蔽部材を軸２４回りに回動して凹溝に収容する動作を円滑に行うことができる。また、遮蔽部材が凹溝遮蔽位置に置かれている時は、凹溝５ｂが地面と面一に遮蔽されているので、ガイドレール上をショッピングカートやベビーカーや車椅子等が平滑に走行して通過することができ、それらの車輪の脱輪を心配する必要は全く無い。また、杖が嵌まることや歩行者が躓くことも未然に防止される。
【００１８】
遮蔽部材１０の上記の断面形状は、単なる一例に過ぎず、凹溝に嵌合可能で、嵌合された時に上面が平坦になるならば、その材料の種類やその強度により、任意の形状とすることができる。
【００１９】
上記遮蔽部材１０は、ガイドレール５の全長に渡って設けることが、凹溝への砂塵などの侵入防止効果が大きいので好ましいが、少なくとも、ガイドレールのゲート開放時に車両通行領域となる位置に存在する部分に設ければ良い。
【００２０】
図１及び図２において、１４ａは遮蔽部材１０がアルミニウム等の金属製又は硬質合成樹脂製である場合に、起立部１３の下部、換言すると、遮蔽部材の回動中心と反対側の下部に下方に突設された合成ゴム等で作られたクッションである。このクッション１４ａは、遮蔽部材が凹溝５ｂを遮閉する方向に回動された時は、その凹溝の底面に当接する位置に取付けられている。こうして、遮蔽部材を蝶番２０を介して凹溝５ｂを遮閉する方向に回動する時、遮蔽部材が勢い良く凹溝内に嵌合しても、クッション１４ａが凹溝５ｂの底部に当接して、運動エネルギーを吸収するので、叩打音が発生することが有効に防止される。
【００２１】
遮蔽部材１０の起立部１３の上部にも、クッション１３ａと同様のクッション１４ｂをその一部が起立部１３の上面から突出するように設ける場合は、遮蔽部材１０を凹溝５ｂを開放する方向に回動する時も、その遮蔽部材の金属部分又は硬質合成樹脂部分が直接に地面ＧＬに衝突することが無く、クッションが当接するので、叩打音その他の騒音の発生が有効に防止される。
【００２２】
遮蔽部材１０のガイドレール５に対する取付手段は、上記の例のように蝶番を用いる場合は、既設のガイドレールにも容易に取付ることができる利点があるが、蝶番を用いることに限らず、とくに、新設のガイドレールに取付ける場合は、他の任意の方法で取付けても良い。
【００２３】
図１には、走行式ゲート１の転倒防止手段として凹溝５ｂに係合するキャスター６が示されたが、キャスターに代えてＬ字形の転倒防止具を備えた走行式ゲートにも適用することができることはいうまでもない。
【００２４】
【発明の効果】
上述のように、本発明によれば、ゲートが開放された時はガイドレールの凹溝を遮蔽し、ゲートが閉鎖される時はその凹溝を開放する遮蔽部材をガイドレールの凹溝に関してキャスター走行面と反対側に回動自在に設けたので、ゲートの開・閉に応じて所要の方向に回動することにより、開放時はガイドレールの上をバリアフリーとして、ショッピングカートやベビーカーや車椅子等が脱輪の心配なく、円滑に走行することができ、杖の挟まりや歩行者の躓きを未然に防止することができるとともに、凹溝への砂塵等の異物の侵入を激減することができる。
【図面の簡単な説明】
【図１】本発明に係るガイドレール遮蔽装置の一例の要部を示し、（ａ）は走行式ゲート閉鎖状態における断面図、（ｂ）は走行式ゲート開放状態における断面図である。
【図２】遮蔽部材及びその取付手段の一例を示す部分斜視図。
【図３】一般的な走行式ゲートの正面図で、（ａ）は閉鎖状態を示し、（ｂ）は開放状態を示す。
【図４】図３と同じ走行式ゲートの平面図で、（ａ）は閉鎖状態を示し、（ｂ）は開放状態を示す。
【図５】図３のＸ−Ｘ線拡大断面図で、従来のガイドレールの構造を示す。
【符号の説明】
１，１Ａ，１Ｂ    走行ゲート
４      キャスター
５      ガイドレール
５ａ    キャスター走行面
５ｂ    凹溝
５ｃ    斜め壁
６      キャスター
１０    遮蔽部材
１１    取付部
１２    平面部
１３    起立部
１４ａ，１４ｂ  クッション
２０    蝶番（取付手段）
【図１】
2004270141.tif 000003
【図２】
2004270141.tif 000004
【図３】
2004270141.tif 000005
【図４】
2004270141.tif 000006
【図５】
2004270141.tif 000007